(57)【要約】【課題】  所定箱体に収納された製品（商品）の搬送時における損傷や倒壊を防止する収納製品の倒壊／損傷防止用蓋体を提供する。【解決手段】  本考案の第１の実施例である収納製品の倒壊／損傷防止用蓋体は、ハードボード１０ａ，１０ｂと、連結部材１１ａ，１１ｂと、位置固定部材１２ａ，１２ｂと、取り外し用開孔１３ａ，１３ｂと、回転ストッパー１４と、緩衝材１５ａ，１５ｂと、から構成される。以上の構成からなる本考案によれば、所定形状の箱体に収納された製品を上部から緩衝材１５ａ，１５ｂを介して抑え付けるので、製品（商品）搬送時における衝撃等による倒壊や損傷を効果的に防止することができ、また、当該蓋体を取り外す際にも取り外し用開孔１３ａ，１３ｂに指を挿入して上方に引き上げれば簡単に取り外すことができる。【選択図】        図１
0003102008.tif 000002
【実用新案登録請求の範囲】
【請求項１】
所定形状の箱体に収納された製品の搬送時における倒壊或いは製品同士の接触による損傷を防止するための収納製品の倒壊／損傷防止用蓋体であって、
前記蓋体は、２つの対称的な形状からなる板状部材の一側辺が連結部材を介して一方向に折り曲げ可能となるように連結され、
前記板状部材の折り曲げ可能な方向に配される面を表面とした場合、夫々の前記板状部材の裏面に緩衝材を配したことを特徴とする収納製品の倒壊／損傷防止用蓋体。
【請求項２】
前記一側辺と対向する前記板状部材の夫々の表面側側辺に位置固定用部材を配したことを特徴とする請求項１記載の収納製品の倒壊／損傷防止用蓋体。
【請求項３】
前記板状部材の表面に前記蓋体の取り外しを可能ならしめる取り外し手段を設けたことを特徴とする請求項１又は２記載の収納製品の倒壊／損傷防止用蓋体。
【請求項４】
前記板状部材の何れか一方の表面に、前記２つの板状部材が水平面となるように維持する折り曲げ防止手段を設けたことを特徴とする請求項１から３の何れか１項に記載の収納製品の倒壊／損傷防止用蓋体。
【請求項５】
前記取り外し手段は、
前記板状部材の何れか一方又は双方に、前記一側辺と対向する該板状部材の夫々の表面の側辺近傍に設けられた取り外し用の開孔であることを特徴とする請求項３又は４に記載の収納製品の倒壊／損傷防止用蓋体。
【請求項６】
前記取り外し手段は、
前記板状部材の夫々に端部を固定され、前記連結されている一側辺を跨ぐように配された紐又はバンドであることを特徴とする請求項３又は４に記載の収納製品の倒壊／損傷防止用蓋体。
【考案の詳細な説明】
【技術分野】
【０００１】
本考案は、物流に用いられる簡易型コンテナやダンボール箱等に収納される商品の搬送時における破損や倒壊を防止する収納製品の倒壊／損傷防止用蓋体に関する。
【背景技術】
【０００２】
従来、物流拠点や配送センター等では、納入店舗向けに商品をパラピッキングし、コンテナやダンボール箱などに収納して搬送する。このような商品としては、ボトル物、箱物、袋物などというように、その形状、材質、高さ、大きさ、がまちまちである。
【考案の開示】
【考案が解決しようとする課題】
【０００３】
しかしながら、トラックの積み下ろし、輸送途中の振動により商品ラベルの擦り傷、箱の角の損傷、ボトル転倒時の破損や内容物漏れなどで約２％の商品が不良として返品され、廃却されるという実情がある。
【０００４】
本考案は、上記実情に鑑みて成されたものであり、搬送時における商品の倒壊や損傷を防止することを目的とした収納製品の倒壊／損傷防止用蓋体を提供するものである。
【課題を解決するための手段】
【０００５】
前記課題を解決するために、本考案は、所定形状の箱体に収納された製品の搬送時における倒壊或いは製品同士の接触による損傷を防止するための収納製品の倒壊／損傷防止用蓋体であって、前記蓋体は、２つの対称的な形状からなる板状部材の一側辺が連結部材を介して一方向に折り曲げ可能となるように連結され、前記板状部材の折り曲げ可能な方向に配される面を表面とした場合、夫々の前記板状部材の裏面に緩衝材を配したことを特徴とする。
【０００６】
また、前記一側辺と対向する前記板状部材の夫々の表面側側辺に位置固定用部材を配したことを特徴とする。
【０００７】
また、前記板状部材の表面に前記蓋体の取り外しを可能ならしめる取り外し手段を設けたことを特徴とする。
【０００８】
また、前記板状部材の何れか一方の表面に、前記２つの板状部材が水平となるように維持する折り曲げ防止手段を設けたことを特徴とする。
【０００９】
また、前記取り外し手段は、前記板状部材の何れか一方又は双方に、前記一側辺と対向する該板状部材の夫々の表面の側辺近傍に設けられた取り外し用の開孔であることを特徴とする。
【００１０】
さらに、前記取り外し手段は、前記板状部材の夫々に端部を固定され、前記連結されている一側辺を跨ぐように配された紐又はバンドであることを特徴とする。
【考案の効果】
【００１１】
本考案によれば、商品の搬送に用いられる蓋の無いコンテナやダンボール箱などに商品を詰めて搬送する際、蓋体に設けられた緩衝材により、高さや大きさのことなる商品を固定すると共に、当該緩衝材がクッションとなって搬送時の衝撃を吸収するので、商品の倒壊や損傷を防止することができる。
【００１２】
また、本考案によれば、蓋体のズレを防止するための位置固定用部材を設けたことにより、コンテナやダンボール箱などにしっかりと固定されるので、商品搬送時における衝撃に対しても、蓋体の位置がずれることを防止することができる。
【００１３】
さらに、本考案によれば、蓋体が折れ曲がるのを防止するための折り曲げ防止手段を設けたことにより、商品搬送時における衝撃に対しても、蓋体が折れ曲がることがないので、商品の倒壊や損傷を防止することができる。
【考案を実施するための最良の形態】
【００１４】
以下、添付図面を参照しながら、本考案の実施の形態を詳細に説明する。図１から図４には、本考案に係る収納製品の倒壊／損傷防止用蓋体の実施例が示されている。
【実施例１】
【００１５】
図１は、本考案の第１の実施例である収納製品の倒壊／損傷防止用蓋体の概略構成を示す斜視図であり、図２は、その側断面図である。図１及び図２に示すように、本考案の第１の実施例である収納製品の倒壊／損傷防止用蓋体は、ハードボード１０ａ，１０ｂと、連結部材１１ａ，１１ｂと、位置固定部材１２ａ，１２ｂと、取り外し用開孔１３ａ，１３ｂと、回転ストッパー１４と、緩衝材１５ａ，１５ｂと、から構成される。
【００１６】
ハードボード１０ａ，ｌ０ｂは、プラスティックダンボールや発泡プラスティックなどにより形成される板状部材であり、連結部材１１ａ，１１ｂにより連結される側辺を基準に対称形状となるように形成されている。図１では、四角形状で示されているが、本考案に係る蓋体が嵌め合わせられる箱体の形状に合わせて任意の形状で製造してもよい。
【００１７】
連結部材１１ａ，１１ｂは、ハードボード１０ａ，１０ｂを一方向に折り曲げ可能ならしめるように連結する部材であり、例えば、図１に示すような蝶つがいである。なお、蝶つがいに限らず、強力な粘着テープであってもよい。
【００１８】
位置固定部材１２ａ，１２ｂは、ハードボード１０ａ，１０ｂの連結部材１１ａ，１１ｂにより連結される側辺と対向する位置の側辺を覆うように設けられている部材であり、ゴム系物質（スチレンゴム、シリコンゴム、天然ゴムなど）からなる。このようにゴム系物質で覆うようにすることで、本考案の蓋体が箱体（ダンボール箱やコンテナなど）に嵌合された際、当該箱体の内壁との摩擦係数が増大するため、蓋体が所定位置からずれることを防止することができる。
【００１９】
なお、図１及び図２では、ハードボード１０ａ，１０ｂの側縁を覆うように位置固定部材１２ａ，１２ｂが設けられているが、特にこの形状に限定するものではなく、側縁の一部に位置固定部材が設けられていればよい。
【００２０】
取り外し用開孔１３ａ，１３ｂは、ダンボール箱やコンテナなどの箱体内に嵌合された本考案の蓋体を取り外す際に利用される孔である。本考案の蓋体は、一方向に折り曲げ可能に構成されているため、後述の回転ストッパー１４を解除し、何れか一方の取り外し用開孔１３ａ／１３ｂに利用者の指を挿入し、引き上げることで簡単に箱体から本蓋体を取り外すことができる。
【００２１】
なお、図１では、ハードボード１０ａ，１０ｂの両方に取り外し用開孔１３ａ，１３ｂが設けられているが、何れか一方のハードボードに設けてもよく、また、その個数も任意に設定することが可能である。
【００２２】
回転ストッパー１４は、支点ピン１４ａを中心に回転する部材であり、板状部材１０ａ，１０ｂが上方に折れ曲がるのを防止し、嵌合時にするために設けられている。この回転ストッパー１４は、例えば、金属製であってもプラスチック製であってもよく、特にその材質を限定するものではない。
【００２３】
緩衝材１５ａ，１５ｂは、発泡ウレタンや発泡ポリエチレンなどの弾力性を十分に備えた素材から構成され、箱体内に収納された高さの異なる製品を一様に抑え付けて固定し、搬送時における振動を吸収することにより、製品が損傷又は倒壊するのを防止する役目を担う。
【００２４】
本考案の第１の実施例によれば、所定形状の箱体に収納された製品を上部から緩衝材を介して抑え付ける蓋体を提供するので、製品（商品）搬送時における衝撃等による倒壊や損傷を効果的に防止することができ、また、当該蓋体を取り外す際にも取り外し用開孔に指を挿入して上方に引き上げれば簡単に取り外すことができる。
【実施例２】
【００２５】
図３は、本考案の第２の実施例である収納製品の倒壊／損傷防止用蓋体の概略構成を示す斜視図である。本考案の第２の実施例では、第１の実施例で示した取り外し用開孔の代わりに、取り外し用バンド１６を設けた点で相違するものである。なお、本考案の第１の実施例と同一の構成要素に関しては同一符号を付してその説明を省略する。
【００２６】
上述したように、本考案の第２の実施例では、ハードボード１０ａ，１０ｂの連結箇所を跨ぐように取り外し用バンド１６が設けられているので、所定形状の箱体内に嵌合された本考案の蓋体を取り外す際には、取り外し用バンド１６に手を掛け、上方に引き上げるという簡単な動作で取り外すことが可能である。
【００２７】
図４は本考案に係る収納製品の倒壊／損傷防止用蓋体の実際の使用例を示す斜視図であり、図５はその断面図である。図４に示すように、本考案に係る蓋体は、所定形状の箱体２０に嵌合されて用いられるものである。この箱体２０は、巾が４００〜６００ｍｍ、奥行が２５０〜４５０ｍｍ、高さが２５０〜４５０ｍｍ、のものが最も市場に出回っているサイズである。本考案に係る蓋体は、このような箱体２０内に収納されている製品Ａ〜Ｃを上方から抑え付けるようにして嵌め合わされる。製品Ａ〜Ｃは、夫々高さの異なる製品であるが、緩衝材１５ａ，１５ｂが弾力性を備えているので、当該緩衝材にめり込むようにして固定される。
【００２８】
よって、箱体２０に本考案に係る収納製品の倒壊／損傷防止用蓋体を嵌め合わせた状態で梱包された製品Ａ〜Ｃは、搬送時においても倒壊や損傷といった危険性がなく、従来ラベルの擦り傷や内容物漏れなどで返品／廃却されていた割合を大幅に減少することができる。
【００２９】
なお、上述する実施例は、本考案の好適な実施例であり、本考案の主旨を逸脱しない範囲内において種々変形して実施することが可能である。例えば、取り外し用開孔と取り外し用バンドとを併存して設けてもよい。
【図面の簡単な説明】
【００３０】
【図１】本考案の第１の実施例である収納製品の倒壊／損傷防止用蓋体の概略構成を示す斜視図である。
【図２】本考案の第１の実施例である収納製品の倒壊／損傷防止用蓋体の概略構成を示す側断面図である。
【図３】本考案の第２の実施例である収納製品の倒壊／損傷防止用蓋体の概略構成を示す斜視図である。
【図４】本考案に係る収納製品の倒壊／損傷防止用蓋体の使用例を示す斜視図である。
【図５】本考案に係る収納製品の倒壊／損傷防止用蓋体の使用例を示す断面図である。
【符号の説明】
【００３１】
１０ａ、１０ｂ  ハードボード
１１ａ、１１ｂ  連結部材
１２ａ、１２ｂ  位置固定部材
１３ａ、１３ｂ  取り外し用開孔
１４  回転ストッパー
１４ａ  支点
１５ａ、１５ｂ  緩衝材
１６  取り外し用バンド
２０  箱体
Ａ、Ｂ、Ｃ  製品（商品）
【図１】
0003102008.tif 000003
【図２】
0003102008.tif 000004
【図３】
0003102008.tif 000005
【図４】
0003102008.tif 000006
【図５】
0003102008.tif 000007